【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
素材から非一体的に鍛造された物品を鍛造する方法であって、
（１）前記素材の１セクションを誘導コイルアセンブリに挿入し、
（２）前記誘導コイルアセンブリに電力を供給して該誘導コイルアセンブリ内の前記素材の１セクションを誘電加熱して誘導コイルアセンブリ内の素材の前記セクションにカップリングする磁束場を発生させ、かくして素材の鍛造前加熱セクションを形成し、
（３）誘導コイルアセンブリから素材を取り出し、
（４）取り出した素材を鍛造装置に移送し、
（５）素材の前記鍛造前加熱セクションに特徴部を鍛造し、
（６）素材を誘導コイルアセンブリに移送して前記（１）〜（６）の各ステップを製造物品全体が鍛造されるまで反復することを含み、
誘導コイルアセンブリ内で素材の前記セクションの軸方向長さに沿った温度を検出し、
誘導コイルアセンブリ内で素材の前記セクションを鍛造前軸方向長さ温度プロファイルに加熱するよう、素材の前記セクションの軸方向長さに沿った磁束場の前記カップリングを制御することを更に含む方法。
【請求項２】
前記誘導コイルアセンブリ内で素材の前記セクションの軸方向長さに沿った温度を検出することが、誘導コイルアセンブリ内への素材の１セクション挿入と同時に実施される請求項１に記載の方法。
【請求項３】
前記誘導コイルアセンブリ内で素材の前記セクションの軸方向長さに沿った温度を検出することが、誘導コイルアセンブリ内への素材の１セクション挿入に続けて実施される請求項１に記載の方法。
【請求項４】
前記素材の前記セクションの軸方向長さに沿った磁束場の前記カップリングを制御することが、誘導コイルアセンブリの少なくとも１端に２つ以上の交互する電気的エンドタップを形成し、該２つ以上の交互する電気的エンドタップ間における誘導コイルアセンブリ端子との接続を、前記誘導コイルアセンブリ内の素材の１セクションを誘電加熱するに先立ちまたは誘導加熱中に変更することを含む請求項１〜３の何れかに記載の方法。
【請求項５】
前記素材の前記セクションの軸方向長さに沿った磁束場の前記カップリングを制御することが、誘導コイルアセンブリ内の前記素材の１セクションを誘電加熱するに先立ちまたは誘導加熱中に、誘導コイルアセンブリの１つ以上の端部コイル巻きを横断して１つ以上のキャパシタを電気的に接続することを含む請求項１〜３の何れかに記載の方法。
【請求項６】
前記素材の前記セクションの軸方向長さに沿った磁束場の前記カップリングを制御することが、少なくとも２つの別個の誘導コイルセクションにして、別個の電源から受けた電力を夫々有する誘導コイルアセンブリを形成すること、前記誘導コイルアセンブリの少なくとも１端に２つ以上の交互する電気的エンドタップを形成すること、誘導コイルアセンブリ内の素材の１セクションを誘電加熱するに先立ちまたは当該誘導加熱中に、該２つ以上の交互する電気的エンドタップ間における、誘導コイルアセンブリ端子との接続を変更する、または、誘導コイルアセンブリの１つ以上の端部コイル巻きを横断して１つ以上のキャパシタを電気的に接続することを含む請求項１〜３の何れかに記載の方法。
【請求項７】
前記素材の前記セクションの軸方向長さに沿った磁束場の前記カップリングを制御することが、誘導コイルアセンブリ内の素材の１セクションを誘電加熱するに先立ちまたは当該誘導加熱中に、該誘導コイルアセンブリにおける１つ以上のコイル巻きを短絡させることを含む請求項１〜３の何れかに記載の方法。
【請求項８】
前記素材の前記セクションの軸方向長さに沿った磁束場の前記カップリングを制御することが、誘導コイルアセンブリ内の素材の１セクションを誘電加熱するに先立ちまたは当該誘導加熱中に、多巻きコイルの少なくとも一部から誘導コイルアセンブリを形成し且つ前記多巻きコイルの少なくとも一部の１つ以上のセクションを切り替えることを含む請求項１〜３の何れかに記載の方法。
【請求項９】
前記素材の前記セクションの軸方向長さに沿った磁束場の前記カップリングを制御することが、誘導コイルアセンブリ内の素材の１セクションを誘電加熱するに先立ちまたは当該誘導加熱中に、螺旋状に交互巻きした少なくとも２つのコイルから成る誘導コイルアセンブリを形成し且つ前記少なくとも２つの交互巻きしたコイルを切り替えることを含む請求項１〜３の何れかに記載の方法。
【請求項１０】
素材のあるセクションにおける特徴部を鍛造するに先立ち、誘導コイルアセンブリに挿入した該素材の前記セクションの鍛造前温度を制御する方法であって、
素材の前記セクションの軸方向長さに沿った表面温度を検出し、
素材の前記セクションを誘導加熱する間、素材の前記セクションの軸方向長さに沿った磁束場のカップリングを制御すること、
を含む方法。
【請求項１１】
前記素材のセクションの軸方向長さに沿った表面温度を検出することが、素材の前記セクションを誘導コイルアセンブリに挿入する間に実施される請求項１０に記載の方法。
【請求項１２】
素材の前記セクションの軸方向長さに沿った表面温度を検出することが、素材の前記セクションを誘導コイルアセンブリに挿入するのに続いて実施される請求項１０に記載の方法。
【請求項１３】
前記素材の前記セクションを誘導加熱する間、素材の前記セクションの軸方向長さに沿った磁束場のカップリングを制御することが、誘導コイルアセンブリの少なくとも１端に２つ以上の交互する電気的エンドタップを形成すること、及び、該２つ以上の交互する電気的エンドタップ間における、誘導コイルアセンブリの端子との接続を変更すること、を含む請求項１０〜１２の何れかに記載の方法。
【請求項１４】
前記素材の前記セクションを誘導加熱する間、素材の前記セクションの軸方向長さに沿った磁束場のカップリングを制御することが、誘導コイルアセンブリの１つ以上の端部コイル巻きを横断して１つ以上のキャパシタを電気的に接続することを含む請求項１０〜１２の何れかに記載の方法。
【請求項１５】
前記素材の前記セクションを誘導加熱する間、素材の前記セクションの軸方向長さに沿った磁束場のカップリングを制御することが、少なくとも２つの別個の誘導コイルセクションにして、別個の電源から受けた電力を夫々有する誘導コイルアセンブリを形成すること、前記誘導コイルアセンブリの少なくとも１端に２つ以上の交互する電気的エンドタップを形成すること、該２つ以上の交互する電気的エンドタップ間における、誘導コイルアセンブリ端子との接続を変更する、または、誘導コイルアセンブリの１つ以上の端部コイル巻きを横断して１つ以上のキャパシタを電気的に接続することを含む請求項１０〜１２の何れかに記載の方法。
【請求項１６】
前記素材の前記セクションを誘導加熱する間、素材の前記セクションの軸方向長さに沿った磁束場のカップリングを制御することが、誘導コイルアセンブリにおける１つ以上のコイル巻きを短絡させることを含む請求項１０〜１２の何れかに記載の方法。
【請求項１７】
前記素材の前記セクションを誘導加熱する間、素材の前記セクションの軸方向長さに沿った磁束場のカップリングを制御することが、多巻きコイルの少なくとも一部から誘導コイルアセンブリを形成し且つ前記多巻きコイルの少なくとも一部の１つ以上のセクションを切り替えることを含む請求項１０〜１２の何れかに記載の方法。
【請求項１８】
前記素材の前記セクションを誘導加熱する間、素材の前記セクションの軸方向長さに沿った磁束場のカップリングを制御することが、螺旋状に交互巻きした少なくとも２つのコイルから成る誘導コイルアセンブリを形成し且つ前記少なくとも２つの交互巻きしたコイルを切り替えることを含む請求項１０〜１２の何れかに記載の方法。
【請求項１９】
素材から非一体的に鍛造された物品を鍛造する方法であって、
（ａ）誘導コイルアセンブリ内に前記素材のシーケンス的セクションを挿入し、
（ｂ）誘導コイルアセンブリに挿入した前記素材のシーケンス的セクションの軸方向長さに沿った温度を検出し、
（ｃ）誘導コイルアセンブリに電力を供給して該誘導コイルアセンブリ内の素材の前記シーケンス的セクションとカップリングする磁束場を発生させることにより誘導コイルアセンブリ内の素材の前記シーケンス的セクションを誘電加熱し、かくして、誘導コイルアセンブリに挿入した素材の前記シーケンス的セクションの軸方向長さに沿って測定した前記温度に応じて制御された温度プロファイルを、前記誘導コイルアセンブリに挿入した素材の前記シーケンス的セクションの軸方向長さに沿って有する素材の鍛造前加熱セクションを形成し、
（ｄ）誘導コイルアセンブリから素材を取り出し、
（ｅ）取り出した素材を鍛造装置に移送し、
（ｆ）素材の前記鍛造前加熱セクションの特徴部を鍛造し、
（ｇ）素材を誘導コイルアセンブリに移送し、
前記（ａ）〜（ｇ）の各ステップを製造物品全部が鍛造されるまで反復すること、
を含む方法。
【請求項２０】
素材の一連のセクションに、シーケンス的に鍛造した一連の特徴部を含む非一体の鍛造製造物品であって、
前記素材の一連の各セクションの前記各特徴部をシーケンス的に鍛造するに先立ち、前記素材における一連の各セクションが誘導コイルアセンブリに挿入され、前記素材のセクションを誘導加熱するに先立ち、素材の一連の各セクションの軸方向長さに沿って検出した温度に応じて、誘導加熱中における素材の前記一連の各セクションの軸方向長さに沿った磁束場のカップリングが制御される非一体の鍛造製造物品。